(57)【要約】【課題】消火設備と配管との接続が容易な消火設備の配管接続装置を提供する。【解決手段】消火栓や連結送水口等の消火設備と配管とを接続する消火設備の配管接続装置であって、消火設備と配管との間を管継手４により接続したもので、消火設備と配管を接続する際、消火設備を回転させて配管にねじ込む必要がないことから、消火設備と配管との接続作業が容易かつ短時間で行えるようになり、配管作業の能率向上が図れる。【選択図】図１
2007247170.tif 000002
【特許請求の範囲】
【請求項１】
消火栓や連結送水口等の消火設備と配管とを接続する消火設備の配管接続装置であって、前記消火設備と前記配管との間を管継手により接続したことを特徴とする消火設備の配管接続装置。
【請求項２】
前記管継手を、消火設備に設けられた開閉弁や送水口本体と管体の接続部間をシールするシール部材と、前記接続部に予め形成した係合手段に係合するハウジングとからなるハウジング継手により形成してなる請求項１に記載の消火設備の配管接続装置。
【請求項３】
前記係合手段を、前記接続部の外周面に形成された環状溝または環状の突条により形成してなる請求項１または２に記載の消火設備の配管接続装置。
【発明の詳細な説明】
【技術分野】
【０００１】
本発明は、消火栓や連結送水口等の消火設備に配管を接続するための配管接続装置に関する。
【背景技術】
【０００２】
火災の際に使用する消火設備には、消火栓や連結送水口等がある。
消火栓は、上水道等の消火配管に接続されていて、消火ホースを接続することにより、消火用水が得られるようになっている。
また連結送水口は、ビル等の建造物に配管された送水配管に接続されていて、ポンプ車等の給水手段と連結送水口とを接続して給水することにより、建造物内に設置された消火栓より消火用水が得られるようになっている。
【０００３】
一方消火栓には、建造物の床面や路面等に立設されたスタンド型の消火栓と、建造物の壁面等に設置された壁面埋め込み型の消火栓等があり、何れにも例えば特許文献１に記載されているような開閉弁が設けられている。
また連結送水口は、建造物の外壁等に設置されていて、例えば特許文献２に記載されているように、送水口を２個設けた双口連結送水口が一般に使用されている。
【特許文献１】特開平１０−７８１６２号公報
【特許文献２】特開平８−４０６０号公報
【発明の開示】
【発明が解決しようとする課題】
【０００４】
しかし前記特許文献１に記載された消火栓や、特許文献２に記載された連結送水口では、消火栓に設けられた開閉弁と消火配管をねじで接続したり、連結送水口と送水配管をねじで接続しているため、次のような問題がある。
すなわち消火栓に使用する消火配管は、予め地中や建造物内に配管されていて、消火栓を設置する際、消火配管に開閉弁を接続する作業を行うが、すでに固定されている消火配管に開閉弁を接続するためには、開閉弁を回転させて消火配管のねじ部に締め込む作業を行う必要があり、作業に手間がかかる問題がある。
【０００５】
また消火栓に使用する消火配管と同様に、連結送水口を接続する送水配管も建設物内にすでに配管されているため、送水配管に連結送水口を接続する場合、連結送水口を回転させて送水配管のねじ部に締め込む必要があり、特に双口連結送水口のように全体が大型のものでは、作業に時間がかかって作業能率が悪い上、周囲に障害物がある場合、作業に支障をきたす等の問題もある。
本発明はかかる問題を改善するためになされたもので、消火設備と配管との接続が容易な消火設備の配管接続装置を提供することを目的とするものである。
【課題を解決するための手段】
【０００６】
本発明の消火設備の配管接続装置は、消火栓や連結送水口等の消火設備と配管とを接続する消火設備の配管接続装置であって、消火設備と配管との間を管継手により接続したものである。
【０００７】
前記構成により、消火設備と配管を接続する際、消火設備を回転させて配管にねじ込む必要がないことから、消火設備と配管との接続作業が容易かつ短時間で行えるようになり、これによってビル等の建造物のように消火設備が多数設置されている場合に、工期の短縮と配管コストの大幅な削減が図れるようになる。
また双口連結送水口のような大型の消火設備に配管する場合に、消火設備を回転させてねじ込む必要がないため、周囲に障害物があっても接続作業に支障をきたすことがない。
【０００８】
本発明の消火設備の配管接続装置は、管継手を、消火設備に設けられた開閉弁や送水口本体と管体の接続部間をシールするシール部材と、接続部に予め形成した係合手段に係合するハウジングとからなるハウジング継手により形成したものである。
【０００９】
前記構成により、固着具によりハウジングを締め付けることにより、ハウジングの開口縁が係合手段へ係合されるため、開閉弁や送水口本体と管体との間に、これらを引き離す方向へ過大な引張力が作用しても管継手に水漏れや脱管が生じることもない。
【００１０】
本発明の消火設備の配管接続装置は、係合手段を、接続部の外周面に形成された環状溝または環状の突条により形成したものである。
【００１１】
前記構成により、加工が容易なため、係合手段が安価に得られる。
【発明の効果】
【００１２】
本発明の消火設備の配管接続装置によれば、消火設備と配管を接続する際、消火設備を回転させて配管にねじ込む必要がないことから、消火設備と配管との接続作業が容易かつ短時間で行えるようになり、配管作業の能率向上が図れる。
【発明を実施するための最良の形態】
【００１３】
本発明の第１の実施の形態を、図面を参照して詳述する。
図１はビル等の建造物の壁面に設置された壁面埋め込み型消火栓の一部切欠側面図、図２は配管接続装置の分解斜視図である。
図１において１は壁面埋め込み型消火栓のケースで、金属板により全体が箱型に形成されていて、建造物の壁面に埋め込まれて設置されており、ケース１の前面には開閉自在な扉（図示せず）が設けられている。
ケース１の後面に設けられた取り付け板１ａには、建造物に配管された消火配管の管体２端部と合致する位置に円形の取り付け孔１ｂが開口されており、この取り付け孔１ｂに開閉弁３の配管接続部３ｂがケース１の内側から挿入されている。
【００１４】
開閉弁３は、弁本体３ａの一端側に配管接続部３ｂが、そして他端側に消火用ホースを接続するホース接続部３ｃが形成されていて、弁本体３ａ内には、配管接続部３ｂとホース接続部３ｃの間を開閉する弁体３ｄが設けられており、弁本体３ａより斜め上方へ突出された弁棒３ｅの先端に取り付けられたハンドル３ｆを回転することにより、弁体３ｄが開閉できるようになっている。
開閉弁３の配管接続部３ｂには、ケース１の取り付け板１ａの内面に当接するフランジ３ｇが設けられていて、配管接続部３ｂに螺挿したナット３ｈを締め込み、フランジ３ｇとナット３ｈの間で取り付け板１ａを挟着することにより、ケース１の取り付け板１ａに開閉弁３が固着されている。
【００１５】
開閉弁３の配管接続部３ｂには、先端側の外周面に環状溝よりなる係合手段３ｉが形成されており、開閉弁３を接続する消火配管の管体２の端部にも、外周面に環状溝よりなる係合手段２ａが形成されている。
そしてこれら係合手段２ａ、３ｉに、管体２と開閉弁３を接続する管継手４の開口縁４ｄが嵌合するようになっている。
管継手４は例えばハウジング管継手であって、図２に示すように円周方向に２分割されたハウジング４ａと、ハウジング４ａ内に収容されたシール部材５とからなる。
ハウジング４ａは鋳物等の金属により全体が形成されていて、図１に示すように断面がほぼ開脚コ字形に形成されており、各ハウジング４ａの端部には、外側へほぼ水平に突出する突出部４ｂが突設されている。
【００１６】
各突出部４ｂには取り付け孔４ｃが穿設されていて、これら取り付け孔４ｃにボルト等の固着具６を挿入し、ナット６ａを締め付けることにより、管体２と開閉弁３が接続できるようになっている。
ハウジング４ａの両面に開口された開口部の開口縁４ｄの内径は、管体２や開閉弁３の配管接続部３ｂの外径よりやや小径となっていて、ハウジング４ａにより管体２と開閉弁３を接続した際、開口縁４ｄが管体２と配管接続部３ｂの各係合手段２ａ、３ｉに図１に示すように嵌合するようになっており、これによって管体２や開閉弁３に過大な引張り力が作用しても、管継手４のハウジング４ａより管体２や開閉弁３が脱管しないようになっている。
【００１７】
またハウジング４ａ内に収容されたシール部材５は、全体がゴム等の弾性体により一体成形されていて、ハウジング４ａの内面に密着するよう外周面が形成されている。
シール部材５の内周面には、管体２の外周面と配管接続部３ｂの外周面に当接するシール面５ａがそれぞれ形成されていて、これらシール面５ａの間には断面がほぼ台形の環状溝５ｂが形成されている。
【００１８】
次に前記構成された第１の実施の形態になる消火設備の配管接続装置の作用を説明すると、建造物等に配管された消火配管の管体２には、消火栓を接続する個所の端部に、図１及び図２に示すように予め係合手段２ａが形成してあり、また管体２に接続する開閉弁３の配管接続部３ｂにも係合手段３ｉが形成してある。
管体２に開閉弁３を接続するに当っては、まず壁面等に埋め込まれたケース１の内側から開閉弁３の配管接続部３ｂを挿入して、ケース１の裏側から配管接続部３ｂのねじ部にナットを螺挿し、ケース１の取り付け板１ａに開閉弁３を固着するが、このとき開閉弁３側を回転させる必要がない。
【００１９】
次に管体２の端部と配管接続部３ｂの端部に亘ってシール部材５を嵌着した後、シール部材５の外周に分割した管継手４のハウジング４ａを嵌合し、突出部４ｂに穿設された取り付け孔４ｃに固着具６を挿入したら、ナット６ａを締め付ける。
これによってハウジング４ａによりシール部材５の外周面が圧迫されて、シール部材５の各シール面５ａが管体２の外周面及び配管接続部３ｂの外周面に圧着されるため、シール部材３により管体２と開閉弁３の接続部がシールされて、接続部から水漏れが生じることがない。
【００２０】
また固着具６のナット６ａを締め付けることにより、ハウジング４ａの開口縁４ｄが係合手段２ａ，３ｉ内へ嵌合されるため、管体２や開閉弁３に、これらを引き離す方向へ過大な引張力が作用しても管継手４に水漏れや脱管が生じることもない。
以上のように管体２に開閉弁３を接続する際、従来のように開閉弁３を回転させてねじ込む必要がないことから、開閉弁３の接続作業が短時間で能率よく行えるようになる。
【００２１】
なお前記第１の実施の形態では、配管接続装置を壁面埋め込み型消火栓に適用した場合について説明したが、図３に示す変形例のようにスタンド型消火栓にも適用することができる。
スタンド型消火栓の場合、開閉弁３にアングル等が使用されている。
このため開閉弁３の配管接続部３ｂは下向きとなるが、予め消火配管の管体２を垂直方向に配管しておき、管体２の上端部を開閉弁３の配管接続部３ｂを前記実施の形態と同様に管継手４で連結すればよく、この変形例の場合も、開閉弁３を回転させてねじ込む必要がないため、開閉弁３の接続作業が短時間で能率よく行えるようになる。
【００２２】
一方図４及び図５は、消火設備を連結送水口とした場合の第２の実施の形態を示すもので、次にこれを説明する。
なお前記実施の形態と同一部分は同一符号を付して、その説明は省略する。
図４に示す連結送水口は、壁面埋め込み型双口連結送水口を示すもので、内部が２路に分岐された送水口本体１０には、前面側に２個の送水口１０ａが設けられ、後面側に配管接続部１０ｂが設けられている。
各送水口１０ａは、建造物の壁面に設置された取り付け板１１にナット１０ｃにより固着されていて、送水口１０ａの開口部は、異物が侵入しないように着脱自在な蓋体１０ｄにより閉鎖されている。
【００２３】
送水口本体１０の配管接続部１０ｂは、建造物のコンクリート躯体１３内側に配管された送水配管の管体１２端部と合致するようになっていて、配管接続部１０ｂには、先端側の外周面に係合手段１０ｅが形成されており、送水口本体１０を接続する管体１２の端部にも、外周面に係合手段１２ａが形成されている。
そして送水口本体１０の配管接続部１０ｂと管体１２の間が、前記第１の実施の形態と同様に管継手４により接続されている。
【００２４】
次に前記構成された第２の実施の形態になる消火設備の配管接続装置の作用を説明すると、管体１２に送水口本体１０を接続するに当っては、まず壁面等に設置された取り付け板１１に送水口本体１０の送水口１０ａを嵌合して、ナット１０ｃを締め付けることにより、取り付け板１１に送水口本体１０を固着する。
次にコンクリート躯体１３の内側から管体１２の端部と配管接続部１０ｂの端部に亘ってシール部材５を嵌着したら、シール部材５の外周に分割した管継手４のハウジング４ａを嵌合し、突出部４ｂの取り付け孔４ｃに挿入した固着具６にナット６ａを螺装して、締め付ける。
これによってハウジング４ａによりシール部材５の外周面が圧迫されて、シール部材５の各シール面５ａが管体１２の外周面及び配管接続部１０ｂの外周面に圧着されるため、シール部材５により管体２と送水口本体１０の配管接続部１０ｂがシールされ、接続部から水漏れが生じることがない。
【００２５】
また固着具６のナット６ａを締め付けることにより、ハウジング４ａの開口縁４ｄが係合手段１０ｅ，１２ａ内へ嵌合されるため、管体２や送水口本体１０に、これらを引き離す方向へ過大な引張力が作用しても管継手４に水漏れや脱管が生じることもない。
以上のように管体２に送水口本体１０を接続する際、従来のように送水口本体１０を回転させてねじ込む必要がないことから、送水口本体１０の接続作業が短時間で能率よく行えるようになる。
【００２６】
なお前記第２の実施の形態では、配管接続装置を壁面埋め込み型連結送水口に適用した場合について説明したが、図５に示す変形例のようにコンクリートスラブ１４上に立設されたスタンド型連結送水口にも適用することができる。
スタンド型消火栓の場合、送水口本体１０の配管接続部１０ｂは下向きとなるが、予め送水配管の管体１２を垂直方向に配管しておき、管体１２の上端部を送水口本体１０の配管接続部１０ｂを前記実施の形態と同様に管継手４で連結すればよく、この変形例の場合も、送水口本体１０を回転させてねじ込む必要がないため、送水口本体１０の接続作業が短時間で能率よく行えるようになる。
また前記第１、第２の実施の形態及びその変形例では、何れも係合手段２ａを環状溝としたが、接続部の外周面に環状の突条を突設して、係合手段２ａとしてもよい。
【図面の簡単な説明】
【００２７】
【図１】本発明の第１の実施の形態になる消火設備の配管接続装置を示す一部切欠側面図である。
【図２】本発明の第１の実施の形態になる消火設備の配管接続装置の分解斜視図である。
【図３】本発明の第１の実施の形態になる消火設備の配管接続装置の変形例を示す一部切欠側面図である。
【図４】本発明の第２の実施の形態になる消火設備の配管接続装置を示す一部切欠側面図である。
【図５】本発明の第２の実施の形態になる消火設備の配管接続装置の変形例を示す一部切欠側面図である。
【符号の説明】
【００２８】
２    管体（消火配管）
２ａ    係合手段
３    開閉弁
３ｂ    配管接続部
３ｉ    係合手段
４    管継手
４ａ    ハウジング
５    シール部材
１０    送水口本体
１０ｂ    配管接続部
１０ｅ    係合手段
１２    管体（送水配管）
【図１】
2007247170.tif 000003
【図２】
2007247170.tif 000004
【図３】
2007247170.tif 000005
【図４】
2007247170.tif 000006
【図５】
2007247170.tif 000007